(57)【要約】      （修正有）【課題】  アイドル時間を減少させることが可能なガラスシートの装荷切断方法ならびに切断テーブルを提供する。【解決手段】  切断テーブル上のガラスシートを装荷切断する方法において、刻線ヘッド５によりガラス等のシート４に刻線を設け、刻線工程中に、加工されるシート４の下方から吸引器付きピックアップアーム１１を引き出し、ほぼ垂直に配置された取り上げられるシート４に吸引器１２を設置するために、ピックアップアーム１１を傾斜させ、シート４を取り上げ、テーブル１上に存在するシート４の刻線中に切断テーブル１に向かってシート４の傾斜を開始し、刻線されたシート４をテーブル１から移動し、シート支持領域を越えて、ピックアップ領域に対して反対側に刻線ヘッド５を位置決めし、シート４を切断テーブル１に設置する。【選択図】図２
2006008507.tif 000002
【特許請求の範囲】
【請求項１】
切断テーブル上のガラスシートを装荷切断する方法において、
刻線ヘッド（５）によりガラス等のシート（４）に刻線を設け、
刻線工程中に、加工されるシート（４）の下方から吸引器付きピックアップアーム（１１）を引き出し、
ほぼ垂直に配置された取り上げられるシート（４）に吸引器（１２）を設置するために、ピックアップアーム（１１）を傾斜させ、
シート（４）を取り上げ、テーブル（１）上に存在するシート（４）の刻線中に切断テーブル（１）に向かってシート（４）の傾斜を開始し、
刻線されたシート（４）をテーブル（１）から移動し、
シート支持領域を越えて、ピックアップ領域に対して反対側に刻線ヘッド（５）を位置決めし、
シート（４）を切断テーブル（１）に設置する、
各工程からなることを特徴とする方法。
【請求項２】
切断テーブル上のガラスシートを装荷切断する方法において、
刻線ヘッド（５）によりガラス等のシート（４）に刻線を設け、
刻線工程中に、加工されるシート（４）の下方から吸引器付きピックアップアーム（１１）を引き出し、
ほぼ垂直に配置された取り上げられるシート（４）に吸引器（１２）を設置するために、ピックアップアーム（１１）を傾斜させ、
シート（４）を取り上げ、切断テーブル（１）から刻線されたシート（４）を切断テーブル（１）から移動中に切断テーブル（１）に向かってシート（４）の傾斜を開始し、
シート支持領域を越えて、ピックアップ領域に対して反対側に刻線ヘッド（５）を位置決めし、
シート（４）を切断テーブル（１）に設置する、
各工程からなることを特徴とする方法。
【請求項３】
シート（４）と係合する前に、吸引器（１２）とともにピックアップアーム（１１）を入れ子式に伸張することを特徴とする請求項２に記載の方法。
【請求項４】
取り上げられるシートに吸引器（１２）を係合した後、ピックアップアーム（１１）を過剰移動して伸張し、シートを支持スタンド（２０）から持ち上げることを特徴とする請求項１から３のいずれかに記載の方法。
【請求項５】
ガラス等のシート用の切断テーブルであって、シート（４）を位置決めする切断面（３）が上部領域に形成された支持フレーム（２）と、前記切断面（３）上に設けられ、前記フレーム（２）に対して移動可能なブリッジ（６）と、該ブリッジ（６）に支持されたヘッド（５）とからなり、さらに、吸引器付き回動アーム（１１）を支持する少なくとも１つのキャリッジ（１０）を備え、該アーム（１１）は切断面（３）に適応することができる切断テーブルにおいて、
前記吸引器（１２）を前記アーム（１１）に接続するため入れ子式部分（１３）を有することを特徴とする切断テーブル。
【請求項６】
前記入れ子式部分（１３）は、刻線するシート（４）をシートスタンド（２０）から取り上げる前に、過剰移動して当該シート（４）を持ち上げることを特徴とする請求項５に記載の切断テーブル。
【請求項７】
前記アーム支持キャリッジ（１０）と前記切断テーブル（１）のフレーム（２）との間で作用する振動遮断手段（３０）を有する請求項５又は６に記載の切断テーブル。
【請求項８】
前記振動遮断手段は案内バー（３０）を有し、該案内バー（３０）は前記支持ホィール（３２）と係合するシート（３１）を形成し、前記各案内バー（３０）は前記フレーム（２）に接続するために複数の弾性フレキシブルパッド（３５）を有することを特徴とする請求項５から７のいずれかに記載の切断テーブル。
【請求項９】
前記パッド（３５）はブッシュ（３６）を有し、該ブッシュ（３６）はスリーブ（３７）に挿入され、該スリーブ（３７）は前記フレーム（２）の横部材（３８）に固く連結され、各ブッシュ（３６）はねじ部（３９）が設けられ、該ねじ部（３９）はリング（４０）と係合して前記スリーブ（３７）に固着され、前記ブッシュ（３６）に回動軸（４２）が配置され、当該回動軸（４２）は、前記ブッシュ（３６）の内側に配置された弾性フレキシブル材料で作られた円筒パッド（４４）により支持され、前記案内バー（３０）のいずれかに接続されていることを特徴とする請求項５から８のいずれかに記載の切断テーブル。
【発明の詳細な説明】
【技術分野】
【０００１】
本発明は切断テーブル上のガラスシートを装荷切断する方法に関する。
【背景技術】
【０００２】
周知のように、切断デーブルは商業的に入手可能であり、切断するシートを取り上げる吸引器が取り付けられたアームを備えている。シートは、最初は、切断テーブルに対して横方向に配置された支持スタンドに設置され、該スタンドにほぼ垂直に立てられている。
【０００３】
吸引器付きアームは、切断するシートを取り上げて、切断テーブル上でひっくり返すように予め構成されている。
【０００４】
従来のテーブルでは、まず、切断面上にあるブリッジ状要素上に設けられた刻線ヘッドを起動する。刻線を行なうと、ヘッドをシート装荷スタンドに向かってシートの端に配置し、平行運動を行って、シートを反対側に排出する。
【０００５】
シートが切断面から離れると、吸引器付きアームを引き出して新たなシートを取り上げ、作業面上に設置して、サイクルを繰り返す。
【０００６】
このタイプのテーブルでは、従前の刻線されたシートを切断テーブルから除去した後に実行しなければならないアームの傾斜及び取上げ工程のために、相当なアイドル時間がある。
【０００７】
この方法は長時間を要し、コスト的に負の効果を与えることは明らかである。
【特許文献１】ＵＳ特許出願１１／０８６３４４
【特許文献２】ＥＰＡ０５００６０１９．３
【発明の開示】
【発明が解決しようとする課題】
【０００８】
本発明の目標は、シートの刻線中にアームを移動することでアイドル時間を減少することができる、切断テーブル上のガラスシートを装荷切断する方法を提供することによって、前述した問題を解決することである。
【０００９】
この目標の中で、本発明の目的は、コンパクトな寸法を有し、輸送が容易で、刻線工程とアーム移動工程の干渉を回避することができる切断テーブルを提供することである。
【００１０】
本発明の他の目的は、縁に損傷を与えることなくシートをスタンドから取り上げることができる切断テーブルを提供することである。
【００１１】
本発明の他の目的は、その特殊な構成的特徴により、使用時の信頼性と安全性を最大限に保証することができる切断デーブルを提供することである。
【課題を解決するための手段】
【００１２】
この目標及び目的は、切断テーブル上のガラスシートを装荷切断する方法において、刻線ヘッドによりガラス等のシートに刻線を設け、刻線工程中に、加工されるシートの下方から吸引器付きピックアップアームを引き出し、ほぼ垂直に配置された取り上げられるシートに吸引器を設置するために、ピックアップアームを傾斜させ、シートを取り上げ、テーブル上に存在するシートの刻線中に切断テーブルに向かってシートの傾斜を開始し、刻線されたシートをテーブルから移動し、シート支持領域を越えて、ピックアップ領域に対して反対側に刻線ヘッドを位置決めし、シートを切断テーブルに設置する、各工程からなることを特徴とする方法によって、達成される。
【００１３】
他の特徴及び利点は、本発明による切断テーブル上のガラスシートを装荷切断する方法の好ましいがこれに限定されない添付図面に示す実施形態の説明から明らかである。
【発明を実施するための最良の形態】
【００１４】
図を参照すると、参照符号１で全体的に示すガラス等のシートの切断テーブルは、上部領域に切断面３が形成された支持フレーム２からなる。切断面３の上に、ヘッド５により刻線されるシート４が載置される。前記ヘッド５はブリッジ６上で移動可能であり、ブリッジ６は、例えば同一出願人によるＵＳ特許出願１１／０８６３４４とＥＰＡ０５００６０１９．３に開示されたタイプのガイド７により、フレーム２上で移動可能である。上記出願は参照することでここに組み入れる。
【００１５】
特殊な接続を使用することにより、切断テーブルを分解することなく従来のコンテナに積み込むことができる。切断テーブルは、その構造を構成する管状要素がコンテナの対角線に沿って位置するような角度で配置されるからである。これにより、比較的大きなサイズの作業面にすることができる。
【００１６】
本発明によるテーブルの特殊性は、キャリッジ１０を有し、該キャリッジ１０にアーム１１が回動可能に取り付けられ、アーム１１の伸縮部１３に吸引器１２が設けられ、伸張することによりアーム１１を引き抜くことができることである。
【００１７】
キャリッジ１０は、図に示すように、ヘッド５の一部でシート４を刻線する工程の間に、加工されるシート４の下方で、アーム引抜き方向にスライドすることができる、また取り上げられるシートを支持するスタンド２０に配置することができる。
【００１８】
図３に示すように、アーム１１はシート４の下方から引き抜かれると、回動され、延長部１３がアーム１１から入れ子式に伸張され、シート４を掴むために吸引器１２を移動する。
【００１９】
図４に示すように吸引器１２がシートを掴むと、延長部１３は過剰に移動して、シート４を取り上げる前にそれを持ち上げることができる。
【００２０】
この事実は、支持縁が偶発的に欠けたり破損するのを防止できるので、極めて重要である。
【００２１】
シート４が取り上げられると（図５）、キャリッジ１０は切断面に向かって移動すると同時にアーム１１の傾斜が始まり、取り上げたシート４を水平配置（図６）に向かって移動させる。
【００２２】
同時に、ヘッド５は、ブリッジ６により、スタンド２０に向かって移動し、刻線されたシート４の縁に配置される。そして、シート４はブリッジ６の平行移動運動により排出される（図７）。同時に、アーム１１の傾斜が始まり、シート４が正しく切断面に配置されるまで、キャリッジ１０がさらに後退する（図８）。
【００２３】
配置が完了すると、スタンド２０と対向する縁と反対側の切断面の縁に配置されたヘッド５は通常の刻線工程を行い、初期サイクルを繰り返す。
【００２４】
したがって、前述した配置によりアーム１１の引抜きと傾斜が刻線工程中に行われるので、アイドル時間が劇的に減少する。これは従来のタイプのテーブルでは不可能である。
【００２５】
刻線中にアーム１１を移動することは、シート装荷中のキャリッジ−アームシステムと切断テーブルシステムに伝達される振動を遮断する手段があるという事実により可能となることに注意すべきである。
【００２６】
振動遮断手段は、図１０−１３に明瞭に示すように、案内バー３０を備えている。案内バー３０は、キャリッジ１０を支持するホィール３２と係合するシート３１を形成している。
【００２７】
案内バー又はガイド３０は、参照符号３５で全体的に示す複数のパッドを備えている。パッド３５はブッシュ３６により設けられている。ブッシュ３６は、フレーム２の横部材３８に固く連結されたスリーブ３７に挿入されている。
【００２８】
ブッシュ３６は、その端にねじ部３９を有する。ねじ部３９に、スリーブ３７とロック接続するためにリングが係合している。
【００２９】
ブッシュ３６の内側には、回動軸４２がある。回動軸４２は、ガイド３０と接続するためにねじ部４３が設けられ、円筒パッド４４によってブッシュ３６の中に支持されている。円筒パッド４４は、アジプレン（adiprene）ゴム等のような弾性材料をブッシュ３６に注入することにより有利に作られている。
【００３０】
振動遮断手段３５の存在は基本的に重要である。キャリッジ１０の平行移動運動とアーム１１の移動の工程中に振動の発生を防止するからである。振動が作業面に伝達されると、刻線ヘッド５の動作が容認できないものとなり、許容公差を外れた不均一な切断を生じる。
【００３１】
前述した構成により、切断面に不当な影響を与えることなく、移動することができる。
【００３２】
さらに、ガイドが切断面の下方に配置されている事実により、最初に述べた輸送上の特性を妥協することなく、テーブルの外側寸法と干渉するのを防止することができる。
【００３３】
以上の説明から、本発明は意図した目標及び目的を達成していることは明らかである。特に、強調すべきことは、切断テーブルは生産のアイドル時間を劇的に減少することができ、輸送及び作業を最適化することができることである。
【００３４】
このように創作された発明は、請求の範囲内で多くの修正や変更を行うことができる。
【００３５】
さらに細部はすべて技術的に均等な要素と置換することができる。
【００３６】
実際に、形状や寸法はもちろん使用する材料は必要に応じて任意にすることができる。
【図面の簡単な説明】
【００３７】
【図１】シート刻線工程中の切断テーブルの概略図である。
【図２】切断テーブルからアームを引き出す初期工程の図である。
【図３】吸引器付きアームの延長工程の図である。
【図４】刻線されるシートをスタンドから持ち上げる工程の概略図である。
【図５】刻線されるシートをスタンドから離す初期工程の図である。
【図６】シートを切断テーブルに向かって傾斜する初期工程の図である。
【図７】刻線されたシートを除去する工程の図である。
【図８】切断テーブルにシートを設置する図である。
【図９】切断テーブルの概略平面図である。
【図１０】アーム支持キャリッジの接続部の詳細の概略断面図である。
【図１１】キャリッジ案内バーの一方から見た斜視図である。
【図１２】キャリッジ案内バーの他方から見た斜視図である。
【図１３】切断面上に配置された吸引器付きアームの概略斜視図である。
【符号の説明】
【００３８】
１  テーブル
２  支持フレーム
３  切断面
４  シート
５  刻線ヘッド
６  ブリッジ
１０  キャリッジ
１１  ピックアップアーム
１２  吸引器
１３  入れ子式部分
２０  シートスタンド
３０  振動遮断手段
３１  シート
３２  支持ホィール
３５  弾性フレキシブルパッド
３６  ブッシュ
３７  スリーブ
３８  横部材
３９  ねじ部
４０  リング
４２  回動軸
４４  円筒パッド
【図１】
2006008507.tif 000003
【図２】
2006008507.tif 000004
【図３】
2006008507.tif 000005
【図４】
2006008507.tif 000006
【図５】
2006008507.tif 000007
【図６】
2006008507.tif 000008
【図７】
2006008507.tif 000009
【図８】
2006008507.tif 000010
【図９】
2006008507.tif 000011
【図１０】
2006008507.tif 000012
【図１１】
2006008507.tif 000013
【図１２】
2006008507.tif 000014
【図１３】
2006008507.tif 000015